(57)【要約】【課題】クラブセットの収納やゴルフバッグの運搬等に際して、大型ヘッドパターのヘッド部分を格納することによって、他のクラブとの衝突を回避する格納ポケットを具備したゴルフバッグのフードを提供すること。【解決手段】フード外周面の適宜位置に、大型ヘッドパターのヘッド部分を格納するための格納ポケットを、当該フードの外側へはみ出すように配設した。【選択図】図４
0003123872.tif 000002
【実用新案登録請求の範囲】
【請求項１】
複数本のゴルフクラブを収容可能な略筒状ゴルフバッグの開口部に取り付けるゴルフバッグのフードにおいて、前記フード外周面の適宜位置に、パターのヘッド部分を格納できる格納ポケットを、前記フードの外側へはみ出すように配設したことを特徴とするゴルフバッグのフード。
【請求項２】
前記格納ポケットは、前記格納ポケットを外側から覆うフラップ部材を前記フードの外側に備えた請求項１のゴルフバッグのフード。
【請求項３】
前記格納ポケットは、前記格納ポケットの開口部を内側から覆う開閉自在のフラップ部材を前記フードの内側に備えた請求項１又は２のゴルフバッグのフード。
【考案の詳細な説明】
【技術分野】
【０００１】
本考案は、ゴルフクラブのヘッドを格納するポケットを備えたゴルフバッグのフードに関し、より詳しくは、ゴルフバッグに収納された大型パターのヘッド部分が他のクラブのヘッドやシャフトを損傷することがないよう、当該ヘッド部分を格納できるポケットを具備したゴルフバッグのフードに関するものである。
【背景技術】
【０００２】
ゴルフバッグには通常、ドライバー、アイアン、ウェッジ、パターなど長さの異なる複数種類のゴルフクラブがヘッドを上に向けて収納されている。そのため、各クラブのヘッドがフード内で互いに露出状態にあれば、ゴルフバッグの運搬等に際し、各クラブのヘッド同士で、或は長いクラブのシャフトに短いクラブのヘッドが衝突して、傷つけ合ってしまうということがある。特に、カーボン系のシャフトのように素材の軟らかいものは傷が入り易いため、これが切欠効果となってプレー中にシャフトが折損するとの事故も報告されている。
【０００３】
このような問題に対しては、ゴルフクラブにヘッドカバーを被せて置けばよいのであるが、プレーに際してはその着脱がきわめて煩わしく、従来よりゴルフバッグの開口部や内部においてクラブヘッド用のハンガーやホルダーを設けたり、或はゴルフバッグのセパレーターの配置構造に工夫を施すなどして、クラブ間での衝突を回避できるようにしたゴルフバッグの考案がなされている（特許文献１〜３参照）。
【０００４】
一方、最近では、グリーン上での打球の安定性、直進性などにおいて優れているとの理由により、ヘッド部分の体積が従来に比して数倍程度の大きさをなすいわゆる大型ヘッドのパターが流行している。またこれにより、複数本の大型ヘッドパターが使用される場合にあっては、クラブセットをゴルフバッグに収納するとパターのヘッド部分がゴルフバッグ開口部付近においてスペースの大部分を占めてしまうということがわかった。
【０００５】
しかし乍ら、従来の考案では、このような大型のヘッドを有するパターについては全く想定されていない。すなわち、従来は、シャフトが長くヘッドが大きなドライバー系のクラブとシャフトが短くヘッドが小さなアイアン系のクラブとについて、これらをゴルフバッグ内で如何に仕分けるかを問題とし、その際パターに関してはシャフトが短くヘッドが小さいアイアン系のクラブとして一様に取り扱っていたのである。このため、比較的ヘッド部分の小さなアイアン系のクラブなら衝突しないように設計されたゴルフバッグであっても、ヘッド部分の占有空間が拡がった大型ヘッドのパターにあっては他のクラブとの衝突を避けられない。
【特許文献１】特開２００３−１８０８９３号公報
【特許文献２】特開２０００−０８４１２９号公報
【特許文献３】実用新案登録第３０６７１８９号公報
【考案の開示】
【考案が解決しようとする課題】
【０００６】
本考案は上記のような問題に鑑み、クラブセットの収納やゴルフバッグの運搬等に際して、大型ヘッドパターのヘッド部分を格納することによって、他のクラブとの衝突を回避する格納ポケットを具備したゴルフバッグのフードを提供することを課題とするものである。
【課題を解決するための手段】
【０００７】
上記課題を解決することを目的としてなされた本考案ゴルフバッグのフードの構成は、フード外周面の適宜位置に、大型ヘッドパターのヘッド部分を格納するための格納ポケットを、当該フードの外側へはみ出すように配設したことを特徴とするものである。
【０００８】
本考案ゴルフバッグのフードは、格納されたヘッド部分を外部の衝撃から保護できるように、当該格納ポケットを外側から覆うフラップ部材をフードの外側に配設した構成としてもよい。
【０００９】
また、本考案ゴルフバッグのフードは、上記構成に加え、バッグの搬送中においても大型パターのヘッド部分を確実に格納しておけるよう、当該格納ポケットの開口部を覆う開閉自在のフラップ部材をフードの内側に配設した構成としてもよい。
【考案の効果】
【００１０】
本考案は、大型ヘッドパターを含むクラブセットのバッグ収納時において、大型パターのヘッド部分をフードの外側に配設されるポケットに格納できるようにしたことにより、ゴルフバッグのクラブ出し入れ口付近のスペースを広く確保できると共に、格納したヘッド部分と他のクラブとの干渉を回避できる。また、フード内面に配設されたフラップは、一旦ポケットに格納されたヘッド部分がフード内に飛び出してくるのを阻止する。この結果、フードの内側でパターのヘッド部分が遊動できないので、他のクラブのシャフトやヘッドを傷付けるといった事態を完全に防止できる。
【考案を実施するための最良の形態】
【００１１】
次に、本考案の実施の形態例について図により説明する。図１は従来型ゴルフバッグにおけるフード内でのドライバー、アイアン、大型ヘッドパターの収納状態を仮想線によりあらわした側面図、図２は従来型のパターのヘッド部分の一例を示した斜視図、図３は大型ヘッドを有するパターの一例を示した斜視図、図４は本考案フードにおける要部の構成を示した斜視図、図５は大型ヘッドパターを格納した状態の本考案フードの側断面図である。
【００１２】
図１において、１はゴルフバッグ本体、２は前記バッグ本体１の上部に形成されたクラブ出し入れ用の開口部１ａに被せるフードで、大略頭巾状乃至長帽子状に形成されており、ここでは２本のラインファスナー２ａ、２ｂによりフード後面側全幅が全面的に開放できるように形成されている。なお、図１のフード２において、２ｃは当該フードの前面壁、２ｄは側面壁、２ｅは後面壁である。
【００１３】
上記バッグ本体１は、ドライバー系及びパターを含むアイアン系の各クラブＤ、Ｉをその開口部１ａからバッグ本体内に収容し、その上からフード２を被せている。因みに、従来のパターは図２に例示するように、そのヘッドH１が他のアイアン系クラブのヘッドと余り変わらない大きさであったが、昨今ではチタン系など材質の変更に伴い、図３に例示するようにヘッドH２が巨大化したパターＰが出現するに至った。なお、図２、図３においてＳｈはシャフトである。
【００１４】
この結果、図３の巨大化ヘッドH２を有するパターＰを、図１のバッグ本体１に収容すると、そのヘッドH２が開口部１ａの大半を覆ってしまうこととなり、そのヘッドH２が他のクラブのヘッドやシャフトと干渉して不具合の生じていたことは先に述べた通りである。
【００１５】
そこで本考案では、図４、図５に例示するように、巨大化したヘッドH２を収める格納ポケットをフード２に設け、上述した不都合な点を解消したので、この点について図４、図５を参照して以下に説明する。
【００１６】
図４、図５に例示した本考案フードは、説明の便宜上、図１のフード２と同形態のフードに本考案を適用した例となっている。従って、図４、図５において、図１のフード２と同じ符号は同一部材、同一部位を表すものとする。図４、図５において、フード２の後面壁２ｅに、図３の巨大化したヘッドH２が出し入れ可能な円形乃至四角形の開口３を設け、この開口３に布等の柔軟材で形成した袋状の格納ポケット４（以下、単にポケットという）を取付けている。ポケット４は柔軟な袋状ゆえ開口３から後面壁２ｅの内側、外側に出し入れ自在である。
【００１７】
袋状のポケット４を有する開口３に対しては、後面壁２ｅの外面と内面（フード２の外部と内部）とに、当該開口３をポケット４ごと被覆してしまう外フラップ５と内フラップ６が開閉可能に垂設されている。両フラップ５，６のうち、少なくとも外フラップ５は、バッグ本体１と同じ材質であることが望ましい。
【００１８】
上記内外フラップ５，６は、いずれも開口３を閉じた位置、並びに開口３を開放した位置に保持するために、面ファスナー５ａ、５ｂ、同６ａ、６ｂが当該フラップ下端の内外面と対応するフード後面壁２ｅとして配設されている。すなわち、本考案ではフード２の後面壁２ｅに巨大化したヘッドH２を出し入れできる面積を有する開口３を設けると共に、その開口３の全面を包むようにして縫着された袋状のポケット４を配設しているので、パターはフェイス面ｆがフード２の内側方向を向き、ヘッドH２がフード２の外側に備えられたポケット４に収まって収納されることとなる（図５参照）。
【００１９】
また本考案では、ポケット４を外側から覆うように、フード表面と同様の合成樹脂素材からなるフラップ６を配設してあるので、ポケット４に収められたパターのヘッドH２は外部の衝撃から保護され、またゴルフバッグ全体としての美観も失われない。このフラップ５は、ポケット４にヘッドH２を格納する際その作業が容易となるよう、面ファスナー５ａ,５ｂによってフード２の後面壁２ｅの上部に止着しておくことができる。
【００２０】
ヘッドＨ２をポケット４に出し入れする開口３の内側（フード２の内部）には、当該開口３を覆うように形成された内フラップ６が設けられているので、一旦ポケット４に収められたヘッドＨ２は、バッグの横転や投げ渡し等による衝撃的挙動があってもポケット４から飛び出すことがなく、他のクラブへの衝突を回避できるという効果がある。なお、開口部３とポケット４はフード２の後面壁２ｅに限られるものではなく、フード２の外側であれば側面壁２ｄ、前面壁２ｃのいずれに設けられてもよい。
【００２１】
本考案フード２は、ゴルフバッグ本体１との装着部分においては通常の装着形態であるから、あらゆる型のゴルフバッグとの間で互換性がある。
【産業上の利用可能性】
【００２２】
本考案は以上の通りであって、大型ヘッドパターを含むクラブセットのゴルフバッグ収納時、大型パターのヘッド部分をフード外側に配設される格納ポケットに格納できるようにしたことにより、ゴルフバッグのクラブ出し入れ口付近のスペースを広く確保できると共に、格納したヘッド部分と他のクラブとの干渉を回避できるのみならず、フード内面に配設されたフラップが、一旦ポケットに格納されたヘッド部分がフード内に飛び出すのを阻止し、また、フードの内側でポケットに格納したヘッド部分は遊動できないので、他のクラブのシャフトやヘッドを傷付けるといった事態を完全に防止できるという効果があるから、ゴルフバッグに適用してきわめて有用である。
【図面の簡単な説明】
【００２３】
【図１】従来型ゴルフバッグにおけるフード内でのドライバー、アイアン、大型ヘッドパターの収納状態を仮想線により示した側面図。
【図２】従来型のパターのヘッド部分の一例を示した斜視図。
【図３】大型ヘッドを有するパターの一例を示した斜視図。
【図４】本考案フードにおける要部の構成を示した斜視図。
【図５】大型ヘッドパターを格納した状態の本考案フードの側断面図。
【符号の説明】
【００２４】
１    ゴルフバッグ本体
１ａ    ゴルフバッグの開口部
２    フード
２ａ，２ｂ    ラインファスナー
２ｃ    前面壁
２ｄ    側面壁
２ｅ    後面壁
３    格納ポケットの開口
４    格納ポケット
５    外フラップ
６    内フラップ
５ａ，５ｂ、６ａ，６ｂ    面ファスナー
Ｄ    ドライバー
Ｉ    アイアン
Ｐ    巨大化したヘッドを有するパター
Ｈ１    従来型パターのヘッド
Ｈ２    パターの巨大化したヘッド
Ｓｈ    シャフト
【図１】
0003123872.tif 000003
【図２】
0003123872.tif 000004
【図３】
0003123872.tif 000005
【図４】
0003123872.tif 000006
【図５】
0003123872.tif 000007